(57)【要約】【課題】水を無駄にすることなく、シンクに水を溜めることができる給水装置、及び洗面台を提供する。【解決手段】給水装置３０は、洗面ボウル１０への給水を実行する水栓１２と、洗面ボウル１０に貯留された水量が所定量に達している場合、洗面ボウル１０への給水の禁止を実行する制御部１３とを備えている。これにより、給水装置３０は、洗面ボウル１０の水が所定量に達すると、制御部１３によって水栓１２からの給水の禁止を実行して、無駄に給水することを抑えることができる。【選択図】図１
2020045623.tif 000002
【特許請求の範囲】
【請求項１】
シンクへの給水を実行する水栓と、
前記シンクに貯留された水量が所定量に達している場合、前記シンクへの給水の禁止を実行する制御部と、
を備えていることを特徴とする給水装置。
【請求項２】
前記シンクから水を排水する経路の数は、１つであることを特徴とする請求項１に記載の給水装置。
【請求項３】
前記制御部は、前記シンクから水を排水する排水口を閉鎖する排水栓が前記排水口を閉鎖した後に前記水栓から給水された水量を積算し、当該積算した水量が基準量に達している場合、前記シンクに貯留された水量が前記所定量に達していると判定することを特徴とする請求項２に記載の給水装置。
【請求項４】
前記制御部は、前記シンクに貯留された水の水位が基準水位に達している場合、前記シンクに貯留された水量が前記所定量に達していると判定することを特徴とする請求項１から３までのいずれか１項に記載の給水装置。
【請求項５】
前記制御部は、前記シンクに貯留された水の質量が基準質量に達している場合、前記シンクに貯留された水量が前記所定量に達していると判定することを特徴とする請求項１から４までのいずれか１項に記載の給水装置。
【請求項６】
前記制御部は、前記禁止を実行していることを使用者に報知することを特徴とする請求項１から５までのいずれか１項に記載の給水装置。
【請求項７】
前記所定量は、第１の量であり、
第２の量は、前記第１の量よりも少ない量であり、
前記制御部は、前記禁止を実行した後、前記シンクに貯留された水量が前記第２の量以下にまで減少したとき、前記禁止を解除することを特徴とする請求項１から６までのいずれか１項に記載の給水装置。
【請求項８】
前記制御部は、前記所定量の変更を、使用者からの入力操作に基づき実行することを特徴とする請求項１から７までのいずれか１項に記載の給水装置。
【請求項９】
洗面台に給水するために用いられる請求項１から８までのいずれか１項に記載の給水装置。
【請求項１０】
請求項９に記載の給水装置を備える洗面台。
【発明の詳細な説明】
【技術分野】
【０００１】
本発明は、給水装置、及び洗面台に関する。
【背景技術】
【０００２】
特許文献１の洗面化粧台は、水位を検知する水位センサと、水位センサの出力に基づいて排水栓を開閉する駆動手段とを備えており、洗面ボウルに水を溜めてカランから水を供給しても、一定の水位に達すると水位センサが検知し、水位センサの出力に応じて駆動手段が作動し、排水栓が開いて排水することができる。
【先行技術文献】
【特許文献】
【０００３】
【特許文献１】特開平５−１４８８７５号公報
【発明の概要】
【発明が解決しようとする課題】
【０００４】
この洗面化粧台は、洗面ボウルにせっかく溜めた水が排水栓を開けることによって排水されてしまうため、水が無駄になるおそれがある。
【０００５】
本発明は、上記従来の事情に鑑みてなされたものであって、水を無駄にすることなく、シンクに水を溜めることができる給水装置を提供することを解決すべき課題としている。
【課題を解決するための手段】
【０００６】
第１発明の給水装置は、
シンクへの給水を実行する水栓と、
前記シンクに貯留された水量が所定量に達している場合、前記シンクへの給水の禁止を実行する制御部と、
を備えていることを特徴とする。
【０００７】
この給水装置は、シンクの水が所定量に達すると、制御部によって水栓からの給水の禁止を実行して、無駄に給水することを抑えることができる。
【０００８】
第２発明の洗面台は、第１発明の給水装置を備えている。
【０００９】
この洗面台は、シンクの水が所定量に達すると、制御部によって水栓からの給水の禁止を実行して、無駄に給水することを抑えることができる。
【００１０】
したがって、本発明の給水装置、及び洗面台は水を無駄にすることなく、シンクに水を貯留することができる。
【図面の簡単な説明】
【００１１】
【図１】実施例１の給水装置であって、排水栓が排水口を開放した状態を示す断面図である。
【図２】実施例１の給水装置であって、排水栓が排水口を閉鎖し、洗面ボウルに所定量の水が貯留された状態を示す断面図である。
【図３】実施例２の給水装置であって、排水栓が排水口を開放した状態を示す断面図である。
【図４】実施例２の給水装置であって、排水栓が排水口を閉鎖し、洗面ボウルに所定量の水が貯留された状態を示す断面図である。
【図５】実施例３の給水装置であって、排水栓が排水口を開放した状態を示す断面図である。
【図６】実施例３の給水装置であって、排水栓が排水口を閉鎖し、洗面ボウルに所定量の水が貯留された状態を示す断面図である。
【図７】実施例４の給水装置であって、排水栓が排水口を開放した状態を示す断面図である。
【発明を実施するための形態】
【００１２】
本発明における好ましい実施の形態を説明する。
【００１３】
第１発明の給水装置のシンクから水を排水する経路の数は、１つであり得る。この場合、この給水装置は、オーバーフロー流路等を設ける必要がなく、構造を簡単にすることができる。
【００１４】
第１発明の給水装置の制御部は、シンクから水を排水する排水口を閉鎖する排水栓が排水口を閉鎖した後に水栓から給水された水量を積算し、積算した水量が基準量に達している場合、シンクに貯留された水量が所定量に達していると判定し得る。この場合、この給水装置は、積算された水量が基準量に達している場合、制御部によって水栓からの給水の禁止を実行することができるため、シンクの水がシンクから溢れることを抑えることができる。
【００１５】
第１発明の給水装置の制御部は、シンクに貯留された水の水位が基準水位に達している場合、シンクに貯留された水量が所定量に達していると判定し得る。この場合、この給水装置は、シンクに貯留された水の水位が基準水位に達している場合、制御部によって水栓からの給水の禁止を実行することができるため、シンクの水がシンクから溢れることを抑えることができる。
【００１６】
第１発明の給水装置の制御部は、シンクに貯留された水の質量が基準質量に達している場合、シンクに貯留された水量が所定量に達していると判定し得る。この場合、この給水装置は、シンクに貯留された水の質量が基準質量に達している場合、制御部によって水栓からの給水の禁止を実行することができるため、シンクの水がシンクから溢れることを抑えることができる。
【００１７】
第１発明の給水装置の制御部は、禁止を実行していることを使用者に報知し得る。この場合、この給水装置は給水の禁止を実行していることを使用者に報知することができる。
【００１８】
第１発明の給水装置の所定量は、第１の量であり、第２の量は、第１の量よりも少ない量であり、制御部は、禁止を実行した後、シンクに貯留された水量が第２の量以下にまで減少したとき、禁止を解除し得る。この場合、この給水装置は、シンクに貯留された水量が第２の量以下にまで減少するまでの間、継続して給水の禁止を実行し、禁止の実行と解除とが頻繁に切り替わることを抑えることができる。
【００１９】
第１発明の給水装置の制御部は、所定量の変更を、使用者からの入力操作に基づき実行し得る。この場合、この給水装置は制御部によってシンクにおける水の所定量を所望の量に変更することができる。
【００２０】
次に、第１発明の給水装置、及び第２発明の洗面台を具体化した実施例１〜４について、図面を参照しつつ説明する。
【００２１】
＜実施例１＞
実施例１の給水装置３０は、図１、２に示すように、箱状をなして上端（上下は、図１における左側、右側である。）が開口して形成された台５０の上端部に配置される。洗面台１は、シンクとしての洗面ボウル１０、排水栓１１、及び給水装置３０を備えている。給水装置３０は、水栓１２、制御部１３、複数の水位検出部１４、及び報知部１５を備えている。
【００２２】
洗面ボウル１０は下方に窪んで形成されている。洗面ボウル１０の底部には、洗面ボウル１０から水を排出する排水口１０Ａが貫通して形成されている。洗面ボウル１０から水を排水する経路の数は１つである。排水口１０Ａは、洗面ボウル１０の上方から見た平面視において、円形に開口しており、洗面ボウル１０の底面から内側下方に向けて曲面で形成され、下方に向かって徐々に縮径している。排水口１０Ａには排水路２０が連通して連結されており下方に延びて、横方向に屈曲している。
【００２３】
排水栓１１は、排水栓本体１１Ａ、軸部１１Ｂ、第１マグネット１１Ｅを保持する第１保持部１１Ｃ、及びパッキン１１Ｄを有している。
排水栓本体１１Ａは円盤状であり、その径は排水口１０Ａの上端部（洗面ボウル１０の底面から下方に傾斜し始めた部分）の径よりも小さく、排水口１０Ａの下端部の内径よりも大きい。
軸部１１Ｂは、円柱状であり、排水栓本体１１Ａの下面中央から下方に延びている。
第１保持部１１Ｃは軸部１１Ｂの下端に連結されている。第１保持部１１Ｃには永久磁石である第１マグネット１１Ｅが収納されている。第１マグネット１１Ｅは、下面がＳ極、上面がＮ極になるように第１保持部１１Ｃに収納されている。
パッキン１１Ｄは排水栓本体１１Ａの下部周縁に嵌められている。排水栓本体１１Ａが下降するとパッキン１１Ｄの外周面が排水口１０Ａの内周面に当接し、排水口１０Ａを水密状に閉鎖する。
【００２４】
排水路２０の垂下した部分と横方向に屈曲した部分とが交差する部分の外側面には内部に空間が形成されたケース４０が設けられている。ケース４０には、第１マグネット１１Ｅで生じる磁界に対して反発する磁界を生成する永久磁石である第２マグネット４０Ａ、第２マグネット４０Ａを保持する第２保持部４０Ｂ、及びピストン４０Ｃが配置されている。
【００２５】
第２保持部４０Ｂはケース４０内の上部に設けられた軸部４０Ｄ周りに水平方向に配置された水平状態（図１参照）、及び垂直方向に配置された垂直状態（図２参照）に回動自在に軸部４０Ｄに連結されている。第２保持部４０Ｂには第２マグネット４０Ａが収納されている。第２マグネット４０Ａは、第２保持部４０Ｂが水平状態において、上面がＳ極、下面がＮ極になるように第２保持部４０Ｂに収納されている。
【００２６】
ピストン４０Ｃにはワイヤ４０Ｆの一端が連結されている。ワイヤ４０Ｆの他端は、例えば、洗面ボウル１０の上端部の周縁近傍に設けられた操作部（図示せず）に連結されている。操作部を操作すると、ワイヤ４０Ｆを介して操作部を操作する操作力がピストン４０Ｃに伝達される。これにより、ピストン４０Ｃがケース４０内を移動して、第２保持部４０Ｂを垂直状態又は水平状態に変更することができる。
【００２７】
操作部を操作して、第２保持部４０Ｂを垂直状態から水平状態にする場合、ワイヤ４０Ｆを介して操作部を操作する操作力がピストン４０Ｃに伝達され、第２保持部４０Ｂがピストン４０Ｃによって押される。これにより、垂直状態の第２保持部４０Ｂは軸部４０Ｄ周りに回動し水平状態に変化する（図１参照。）。すると、第２マグネット４０ＡのＳ極側の面が第１マグネット１１Ｅの下面（すなわちＳ極側の面）の真下に位置する。これにより、排水栓１１は第１マグネット１１Ｅと第２マグネット４０Ａとの間で生じる反発力によって排水路２０内を上方向に移動し、排水栓本体１１Ａが排水口１０Ａを開放する。
【００２８】
操作部を操作して、第２保持部４０Ｂを水平状態から垂直状態にする場合、ピストン４０Ｃは、第２保持部４０Ｂを押し上げて水平状態にする位置から第２保持部４０Ｂを垂直状態にする位置にケース４０内を移動する。これにより、水平状態の第２マグネット４０Ａが軸部４０Ｄ周りに回動し垂直状態に変化し、第１マグネット１１Ｅから遠ざかり、第１マグネット１１Ｅと第２マグネット４０Ａとの間で生じる反発力が小さくなる。このため、排水栓１１は上昇した位置から下方向に移動し、排水栓本体１１Ａが排水口１０Ａを閉鎖する（図２参照。）。
【００２９】
水栓１２は洗面ボウル１０への給水を実行する。水栓１２は洗面ボウル１０の上端の周縁近傍に設けられている。水栓１２には水栓１２から洗面ボウル１０に給水する水を供給する給水路１２Ａが連結されている。給水路１２Ａには電磁弁１２Ｂが設けられている。水栓１２の給水路１２Ａの先端の近傍には使用者が近づいたことを検出するセンサ１２Ｃが設けられている。
【００３０】
制御部１３は、例えば、マイクロコンピュータを含んだ制御回路として構成され、ＣＰＵや記憶部等を有している（図示せず。）。制御部１３にはセンサ１２Ｃと電磁弁１２Ｂとが電気的に接続されている。センサ１２Ｃは、使用者の体の一部が近づいたことを検出すると、制御部１３に向けて使用者の体の一部が近づいたことに対応した接近信号Ａを出力する。制御部１３は、接近信号Ａが入力されると電磁弁１２Ｂに向けて、電磁弁１２Ｂを開弁する開弁信号Ｖoを出力し、閉弁した閉弁状態の電磁弁１２Ｂを開弁させて開弁状態にする。センサ１２Ｃは、使用者がセンサ１２Ｃから離れた状態である場合、制御部１３に向けて接近信号Ａを出力しない。制御部１３は、接近信号Ａが入力されないと電磁弁１２Ｂに向けて電磁弁１２Ｂを閉弁する閉弁信号Ｖcを出力し、開弁状態の電磁弁１２Ｂを閉弁状態にする。
【００３１】
複数の水位検出部１４は、互いの間に所定の間隔を設け、洗面ボウル１０の表面に上下方向に一列に並び配置されている。各水位検出部１４は洗面ボウル１０の所定量の水の水位を検出することができる。各水位検出部１４は制御部１３に電気的に接続されている。洗面ボウル１０に貯留した水の水位が各水位検出部１４に達すると、各水位検出部１４は水位検出信号Ｗ１〜Ｗ３を制御部１３に向けて出力する（図２参照。）。
【００３２】
各水位検出部１４は、水栓１２から給水し、洗面ボウル１０に貯留される水の水面の高さ（水位）が高くなるに従い、最も下に位置する水位検出部１４（以降、最下位の水位検出部１４ともいう）から水位検出信号Ｗ１、Ｗ２、Ｗ３の順番で制御部１３に出力される。
【００３３】
例えば、洗面ボウル１０に貯留する水の水位を最上位の水位検出部１４の位置にする場合、制御部１３は全ての水位検出部１４から水位検出信号Ｗ１〜Ｗ３が入力されたときに閉弁状態にする。つまり、洗面ボウル１０に貯留する水の水位が最上位の水位検出部１４の位置にあるときの水の水位が基準水位である。全ての水位検出部１４から水位検出信号Ｗ１〜Ｗ３が入力されている間、センサ１２Ｃから接近信号Ａが入力されても電磁弁１２Ｂに向けて開弁信号Ｖoを送信せず、閉弁信号Ｖcを送信し続けて閉弁状態を維持する。これにより、制御部１３は、洗面ボウル１０の水の水位が最上位の水位検出部１４に到達して、全ての水位検出部１４から制御部１３に水位検出信号Ｗ１〜Ｗ３が入力されると、水栓１２からの給水の禁止を実行する。つまり、制御部１３は、洗面ボウル１０に貯留された水の水位が基準水位に達している場合、洗面ボウル１０に貯留された水量が所定量に達していると判定する。給水装置３０は洗面ボウル１０に貯留された水量が所定量に達している場合、水栓１２からの給水の禁止を実行する制御部１３を備えている。
洗面ボウル１０に貯留された水の水位が最上位の水位検出部１４の位置に達しているときの洗面ボウル１０に貯留された水の水量は第１の量である。
【００３４】
制御部１３に水位検出信号Ｗ３が入力された状態で、洗面ボウル１０に貯留する水を排水口１０Ａから排水すると、水の水位が最上位の水位検出部１４の位置より低くなり、最上位の水位検出部１４は水位検出信号Ｗ３を出力しなくなる。
【００３５】
さらに洗面ボウル１０から水が排水され、洗面ボウル１０に貯留された水の水位が最上位の下方に隣合う水位検出部１４の位置に達する。このときの洗面ボウル１０に貯留された水の水量は第１の量よりも少ない量である第２の量である。
さらに洗面ボウル１０から水が排水され、最上位の水位検出部１４の下方に隣合う水位検出部１４も水位検出信号Ｗ２を出力しなくなったことに基づいて（すなわち、洗面ボウル１０に貯留された水量が第１の量から第１の量よりも少ない量の第２の量以下にまで減少したことに基づいて）、制御部１３は水栓１２からの給水の禁止を解除する。
水栓１２からの給水の禁止を解除すると、制御部１３は、センサ１２Ｃからの接近信号Ａが入力されることにより、電磁弁１２Ｂに向けて開弁信号Ｖoを送信する。
【００３６】
給水装置３０は、水栓１２からの給水の禁止を実行するタイミングを水位検出信号Ｗ１〜Ｗ３の内のいずれか一つの信号が制御部１３に入力されたときに合わせることによって、洗面ボウル１０に貯留する水の所定量を所望の量に変更することができる。
例えば、水栓１２の近傍に、洗面ボウル１０に貯留する水の所定量を所望の量に変更し得る水位切り替え手段（図示せず）を設けておき、この水位切り替え手段を使用者が操作する。水位切り替え手段は制御部１３に電気的に接続されており、使用者が水位切り替え手段を操作して、洗面ボウル１０に貯留する所定量の水の水位を最上位の水位検出部１４の１つ下に隣合う水位検出部１４の位置になるように入力操作すると、この入力操作に基づき制御部１３は水位検出信号Ｗ１、Ｗ２が入力されたときに閉弁状態にする。水位検出信号Ｗ１、Ｗ２が入力されている間、センサ１２Ｃから接近信号Ａが入力されても電磁弁１２Ｂに向けて開弁信号Ｖoを送信せず、閉弁信号Ｖcを送信し続けて閉弁状態を維持する。
つまり、制御部１３は所定量の変更を、使用者からの入力操作に基づき実行する。
【００３７】
報知部１５は、例えば、ブザー、液晶表示装置、又はＬＥＤ等で構成されており、洗面ボウル１０の上端の周縁近傍に設けられている。報知部１５は制御部１３に電気的に接続している。報知部１５は、水栓１２からの給水の禁止を実行するタイミングが合わせられた水位検出信号が制御部１３に入力されているとき、制御部１３から報知信号Ｔが入力され、制御部１３が水栓１２から洗面ボウル１０への給水の禁止を実行していることを使用者に報知する。
制御部１３は、水栓１２からの給水の禁止を実行するタイミングが合わせられた水位検出信号が制御部１３に入力されなくなり、さらに、この水位検出信号を出力する水位検出部１４の下方に隣合う水位検出部１４からも制御部１３に水位検出信号が入力されなくなったことに基づいて、報知信号Ｔの出力を停止する。上記２つの水位検出部１４から水位検出信号が入力されなくなることは、洗面ボウル１０に貯留された水量が第２の量以下にまで減少したことを意味する。報知部１５は、報知信号Ｔが入力されなくなると、上記報知を停止する。これにより、使用者は、洗面ボウル１０への給水の禁止が解除されたことを把握することができる。
【００３８】
このように、給水装置３０は、洗面ボウル１０の水が所定量に達すると、制御部１３によって水栓１２からの給水の禁止を実行して、無駄に給水することを抑えることができる。
【００３９】
給水装置３０の洗面ボウル１０から水を排水する経路の数は、１つである。このため、給水装置３０はオーバーフロー流路等を設ける必要がなく、構造を簡単にすることができる。
【００４０】
給水装置３０の制御部１３は、洗面ボウル１０に貯留された水の水位が基準水位に達している場合、洗面ボウル１０に貯留された水量が所定量に達していると判定する。このため、給水装置３０は、洗面ボウル１０に貯留された水の水位が基準水位に達している場合、制御部１３によって水栓１２からの給水の禁止を実行することができるため、洗面ボウル１０の水が洗面ボウル１０から溢れることを抑えることができる。
【００４１】
給水装置３０は、洗面ボウル１０に貯留された水量が第２の量以下にまで減少するまでの間、継続して給水の禁止を実行するので、禁止の実行と解除とが頻繁に切り替わることを抑えることができる。
【００４２】
＜実施例２＞
実施例２の給水装置１３０は、図３、４に示すように、質量検出部１６を備えている点が実施例１と相違する。他の構成は実施例１と同様であり、同一の構成は同一の符号を付して詳細な説明を省略する。
【００４３】
実施例２の洗面台２は、シンクとしての洗面ボウル１０、排水栓１１、及び給水装置１３０を備えている。給水装置１３０は、水栓１２、制御部１１３、質量検出部１６、及び報知部１５を備えている。質量検出部１６は洗面ボウル１０の底面に設けられている。質量検出部１６は、内部に水が浸入しない構成とされたロードセル等で構成されている。質量検出部１６は制御部１１３と電気的に接続している。
【００４４】
例えば、操作部（図示せず）を操作して排水栓１１で排水口１０Ａを閉鎖した状態にして、水栓１２から水を給水して洗面ボウル１０に水を貯留する場合、質量検出部１６は、質量検出部１６の上方に位置する水の質量を検出し、制御部１１３に質量検出部１６の上方に位置する水の質量に対応する質量値Ｍを出力する。質量値Ｍは質量検出部１６の上方に位置する水の質量に応じて変化する。具体的には、質量値Ｍは、質量検出部１６の上方に水が位置しない場合、最も小さい値を示し、質量検出部１６の上方に位置する水の量が増えるに従い大きくなる。
【００４５】
制御部１１３には、予め、洗面ボウル１０に所定量の水が貯留した場合における質量検出部１６の上方に位置する水の質量に対応する大きさの第１閾値Ｔh1が記憶されている。質量値Ｍの大きさが第１閾値Ｔh1であるときの洗面ボウル１０に貯留した水の質量が基準質量である。制御部１１３は、質量検出部１６からの質量値Ｍと第１閾値Ｔh1とを比較して、質量値Ｍの大きさが第１閾値Ｔh1以上になったことに基づいて、水栓１２のセンサ１２Ｃから接近信号Ａが入力されても電磁弁１２Ｂに向けて開弁信号Ｖoを送信せず、閉弁信号Ｖcを送信し続けて閉弁状態を維持する。これにより、制御部１１３は、質量検出部１６の上方に位置する水の質量に対応する質量値Ｍの大きさが第１閾値Ｔh1以上になったことに基づいて、水栓１２からの給水の禁止を実行する。つまり、制御部１１３は、洗面ボウル１０に貯留された水の質量が基準質量に達している場合、洗面ボウル１０に貯留された水量が所定量に達していると判定する。
質量値Ｍの大きさが第１閾値Ｔh1であるとき、洗面ボウル１０に貯留された水の水量は第１の量である。
【００４６】
制御部１１３に記憶された第１閾値Ｔh1の大きさは水位切り替え手段（図示せず）を使用者が操作することによって所望の大きさに変更し得る構成とされている。これにより、制御部１１３は洗面ボウル１０に貯留する水の所定量を変更することができる。つまり、制御部１１３は洗面ボウル１０に貯留する水の所定量の変更を、使用者からの入力操作に基づき実行する。
【００４７】
洗面ボウル１０に貯留する水を排水口１０Ａから排水すると、質量値Ｍの大きさも小さくなる。制御部１１３には、予め、洗面ボウル１０に第１の量の水が貯留した場合よりも少ない水が質量検出部１６の上方に位置する場合の水の質量に対応する大きさの第２閾値Ｔh2が記憶されている。質量値Ｍの大きさが第２閾値Ｔh2であるときの洗面ボウル１０に貯留された水の水量は第１の量よりも少ない量である第２の量である。質量検出部１６からの質量値Ｍが第１閾値Ｔh1以上である状態から、第２閾値Ｔh2以下にまで減少したと制御部１１３が判定したことに基づいて（すなわち、洗面ボウル１０に貯留された水量が第１の量から第２の量以下にまで減少したことに基づいて）、制御部１１３は水栓１２からの給水の禁止を解除する。
【００４８】
報知部１５は、制御部１１３において質量値Ｍが第１閾値Ｔh1以上になったことに基づいて、制御部１１３から報知信号Ｔが入力され、制御部１１３が水栓１２から洗面ボウル１０への給水の禁止を実行していることを使用者に報知する。
制御部１１３は、質量検出部１６からの質量値Ｍが第１閾値Ｔh1以上である状態から、質量値Ｍが第２閾値Ｔh2以下にまで減少したと判定したことに基づいて（すなわち、洗面ボウル１０に貯留された水量が第１の量から第２の量以下にまで減少したことに基づいて）、報知信号Ｔの報知部１５への出力を停止する。報知部１５は、報知信号Ｔの入力がなくなると、上記報知を停止する。これにより、使用者は、洗面ボウル１０への給水の禁止が解除されたことを把握することができる。
【００４９】
このように、給水装置１３０は、洗面ボウル１０の水が所定量に達すると、制御部１１３によって水栓１２からの給水の禁止を実行して、無駄に給水することを抑えることができる。
【００５０】
給水装置１３０は、洗面ボウル１０に貯留された水の質量が基準質量に達している場合、制御部１１３によって水栓１２からの給水の禁止を実行することができるため、洗面ボウル１０の水が洗面ボウル１０から溢れることを抑えることができる。
【００５１】
＜実施例３＞
実施例３の給水装置２３０は、図５、６に示すように、流量検出部１７、及び磁気センサ４０Ｅを備えている点が実施例１、２と相違する。他の構成は実施例１、２と同様であり、同一の構成は同一の符号を付して詳細な説明を省略する。
【００５２】
実施例３の洗面台３は、シンクとしての洗面ボウル１０、排水栓１１、及び給水装置２３０を備えている。給水装置２３０は、水栓１２、制御部２１３、流量検出部１７、磁気センサ４０Ｅ及び報知部１５を備えている。
流量検出部１７は第１流量検出部１７Ａ、及び第２流量検出部１７Ｂを有している。第１流量検出部１７Ａは給水路１２Ａに設けられている。第１流量検出部１７Ａは制御部２１３に電気的に接続されている。第１流量検出部１７Ａは現在給水路１２Ａを流れる水の流量に対応した第１流量値Ｆsを制御部２１３に出力する。第１流量値Ｆsは、給水路１２Ａに水が流れていない場合、最も小さい値を示し、給水路１２Ａを流れる水の量が増えるのに従い大きくなる。
【００５３】
第２流量検出部１７Ｂは排水路２０に設けられている。第２流量検出部１７Ｂは制御部２１３に電気的に接続されている。第２流量検出部１７Ｂは現在排水路２０を流れる水の流量に対応した第２流量値Ｆdを制御部２１３に出力する。第２流量値Ｆdは、排水路２０に水が流れていない場合、最も小さい値を示し、排水路２０を流れる水の量が増えるのに従い大きくなる。
【００５４】
制御部２１３には、排水栓１１で排水口１０Ａを閉鎖したときに、排水口１０Ａが閉鎖された状態であることを示す閉鎖信号Ｃが入力され得る構成とされている。具体的には、ケース４０の下端面に磁気センサ４０Ｅが設けられている。磁気センサ４０Ｅは制御部２１３に電気的に接続されている。磁気センサ４０Ｅは、ケース４０内の第２保持部４０Ｂが垂直状態である場合、排水口１０Ａが閉鎖された状態であることに対応する閉鎖信号Ｃを制御部２１３に向けて出力する。磁気センサ４０Ｅは、第２保持部４０Ｂが水平状態である場合、制御部２１３に向けて閉鎖信号Ｃを出力しない。
制御部２１３には、予め、洗面ボウル１０に貯留することができる所定量の水の量に対応する大きさの第３閾値Ｔh3が記憶されている。
【００５５】
例えば、操作部（図示せず）を操作して排水栓１１で排水口１０Ａを閉鎖した状態にすると、制御部２１３には磁気センサ４０Ｅから閉鎖信号Ｃが入力される。使用者の体の一部が水栓１２のセンサ１２Ｃに近づくと制御部２１３には接近信号Ａが入力される。すると、制御部２１３から電磁弁１２Ｂに開弁信号Ｖoが出力され、洗面ボウル１０に給水される。制御部２１３に閉鎖信号Ｃが入力されている間、制御部２１３は、第１流量値Ｆsを所定の時間毎（例えば、１秒毎）に積算することによって積算流量値を演算して求める。つまり、制御部２１３は排水栓１１が排水口１０Ａを閉鎖した後に、水栓１２から給水する水の流量を積算し、洗面ボウル１０の所定量の水の量を検出する。
【００５６】
制御部２１３は、積算流量値と第３閾値Ｔh3とを比較する。積算流量値の大きさが第３閾値Ｔh3であるときの、排水栓１１が排水口１０Ａを閉鎖した後に水栓１２から給水された水量を積算した量が基準量である。積算流量値と第３閾値Ｔh3とを比較して、積算流量値の大きさが第３閾値Ｔh3以上になったことに基づいて、水栓１２のセンサ１２Ｃから接近信号Ａが入力されても電磁弁１２Ｂに向けて開弁信号Ｖoを送信せず、閉弁状態を維持する。これにより、制御部２１３は、積算流量値の大きさが第３閾値Ｔh3以上になったことに基づいて、水栓１２からの給水の禁止を実行する。つまり、制御部２１３は、排水口１０Ａを閉鎖する排水栓１１が排水口１０Ａを閉鎖した後に水栓１２から給水された水量を積算し、積算した水量が基準量に達している場合、洗面ボウル１０に貯留された水量が所定量に達していると判定する。
排水栓１１が排水口１０Ａを閉鎖した後に水栓１２から給水された水量の積算流量値の大きさが第３閾値Ｔh3に達しているときの洗面ボウル１０に貯留された水の水量は第１の量である。
【００５７】
制御部２１３に記憶された第３閾値Ｔh3の大きさは水位切り替え手段（図示せず）を使用者が操作することによって所望の大きさに変更し得る構成とされている。これにより、制御部２１３は洗面ボウル１０に貯留する水の所定量を変更することができる。つまり、制御部２１３は洗面ボウル１０に貯留する水の所定量の変更を、使用者からの入力操作に基づき実行する。
【００５８】
操作部を操作して排水栓１１で排水口１０Ａが閉鎖された状態から排水口１０Ａを解放した状態にすると、制御部２１３に入力されていた磁気センサ４０Ｅからの閉鎖信号Ｃが制御部２１３に入力されなくなり、洗面ボウル１０に貯留する水が排水口１０Ａから排水される。
制御部２１３は閉鎖信号Ｃが入力された状態から入力されない状態に変化したことに基づいて、積算流量値から第２流量値Ｆdを所定の時間毎（例えば、１秒毎）に減算する。すると、積算流量値は所定の時間毎に小さくなる。
【００５９】
制御部２１３には、予め、洗面ボウル１０に第１の量の水が貯留した場合よりも少ない水の量に対応する大きさの第４閾値Ｔh4が記憶されている。積算流量値の大きさが第４閾値Ｔh4であるときの洗面ボウル１０に貯留された水の水量は第２の量である。積算流量値が第３閾値Ｔh3以上である状態から、第４閾値Ｔh4以下にまで減少したと制御部２１３が判定したことに基づいて（すなわち、洗面ボウル１０に貯留された水量が第１の量から第２の量以下にまで減少したことに基づいて）、制御部２１３は水栓１２からの給水の禁止を解除する。
【００６０】
報知部１５は、制御部２１３において積算流量値が第３閾値Ｔh3以上であると判定されているとき、制御部２１３から報知信号Ｔが入力され、制御部２１３が水栓１２から洗面ボウル１０への給水の禁止を実行していることを使用者に報知する。
制御部２１３は、積算流量値が第３閾値Ｔh3以上である状態から、第４閾値Ｔh4以下にまで減少したと判定したことに基づいて（すなわち、洗面ボウル１０に貯留された水量が第１の量から第２の量以下にまで減少したことに基づいて）、報知信号Ｔの報知部１５への出力を停止する。報知部１５は上記報知を停止する。これにより、使用者は、洗面ボウル１０への給水の禁止が解除されたことを把握することができる。
【００６１】
このように、給水装置２３０は、洗面ボウル１０の水が所定量に達すると、制御部２１３によって水栓１２からの給水の禁止を実行して、無駄に給水することを抑えることができる。
【００６２】
給水装置２３０は、積算された水量が基準量に達している場合、制御部２１３によって水栓１２からの給水の禁止を実行することができるため、洗面ボウル１０の水が洗面ボウル１０から溢れることを抑えることができる。
【００６３】
＜実施例４＞
実施例４の給水装置３３０は、図７に示すように、複数の水位検出部１４、質量検出部１６、流量検出部１７、及び磁気センサ４０Ｅを備えている点が実施例１〜３と相違する。他の構成は実施例１〜３と同様であり、同一の構成は同一の符号を付して詳細な説明を省略する。
【００６４】
実施例４の洗面台４は、シンクとしての洗面ボウル１０、排水栓１１、及び給水装置３３０を備えている。給水装置３３０は、水栓１２、制御部３１３、複数の水位検出部１４、質量検出部１６、流量検出部１７、及び報知部１５を備えている。給水装置３３０は、複数の水位検出部１４、質量検出部１６、及び流量検出部１７を併用し得る構成とされている。制御部３１３には、第１閾値Ｔh1、第２閾値Ｔh2、第３閾値Ｔh3、及び第４閾値Ｔh4が記憶されている。
【００６５】
給水装置３３０は、例えば、制御部３１３によって、水位検出部１４、質量検出部１６、及び流量検出部１７のそれぞれで、洗面ボウル１０に所定量（第１の量）の水が貯留したこと、及び洗面ボウル１０に貯留された水量が第１の量から第２の量以下にまで減少したことを検出し、制御部３１３によって水栓１２からの給水の禁止を実行したり、解除したりする構成とされている。
【００６６】
なお、給水装置３３０における、水位検出部１４、質量検出部１６、及び流量検出部１７のそれぞれの動作は、実施例１〜３において説明した給水装置３０、１３０、及び２３０の動作が洗面ボウル１０に貯留される水の量が変化するのに併せて並行して動作するものであるため詳細な説明を割愛する。
【００６７】
給水装置３３０は、水位切り替え手段（図示せず）を使用者が操作することによって、水栓１２からの給水の禁止を実行するタイミングを複数の水位検出部１４からの水位検出信号の内のいずれか一つの信号が制御部３１３に入力されたときに合わせたり、制御部３１３に記憶された第１閾値Ｔh1、及び第３閾値Ｔh3の大きさを所望の大きさに変更したりし得る構成とされている。これにより、制御部３１３は洗面ボウル１０に貯留する水の所定量を変更することができる。
これによって、水位検出部１４、質量検出部１６、及び流量検出部１７のいずれかが故障しても、給水の禁止の解除を適切に実施できる。
【００６８】
このように、給水装置３３０は、洗面ボウル１０の水が所定量に達すると、制御部３１３によって水栓１２からの給水の禁止を実行して、無駄に給水することを抑えることができる。
【００６９】
本発明は上記記述及び図面によって説明した実施例１〜４に限定されるものではなく、例えば次のような実施例も本発明の技術的範囲に含まれる。
（１）実施例１〜４では、センサによって使用者が近づいたことを検出して電磁弁を開閉する自動水栓であるが、タクトスイッチ等によって電磁弁を開閉する水栓であってもよい。
（２）実施例１〜４では、シンクとして洗面ボウルを例示しているが、台所用のシンク等であってもよい。
（３）実施例１〜３では、第１の量から第２の量以下にまで水が減少したときに水栓からの給水の禁止を実行しているが、洗面ボウルから水が全て排水されたとき（すなわち、第２の量が０）になったときに水栓からの給水の禁止を解除してもよい。
（４）実施例１〜４では、洗面ボウルが洗面台の上端部に配置されているが、洗面台を設けず、洗面ボウルを壁面に取り付けてもよい。
（５）実施例４において、制御部によって、水位検出部、質量検出部、及び流量検出部の内、互いに異なる検出部を用い、洗面ボウルに所定量（第１の量）の水が貯留したこと、及び洗面ボウルの水が第１の量から第２の量以下にまで減少したことのそれぞれを検出するようにしてもよい。
【符号の説明】
【００７０】
１０…洗面ボウル（シンク）
１０Ａ…排水口
１１…排水栓
１２…水栓
１３，１１３，２１３，３１３…制御部
１４…水位検出部
１５…報知部
１６…質量検出部
【図１】
2020045623.tif 000003
【図２】
2020045623.tif 000004
【図３】
2020045623.tif 000005
【図４】
2020045623.tif 000006
【図５】
2020045623.tif 000007
【図６】
2020045623.tif 000008
【図７】
2020045623.tif 000009